(57)【要約】【課題】吸込口への吸込口カバーの非装着時に、吸込口の吸込力を所定値まで機械的に低下させて異物等の吸い込みを確実に防止し得ると共に、装置自体を安価に形成し得るジェットバスの安全装置を提供する。【解決手段】バスタブに設けられた吸込口及び吐出口と、前記吸込口に吸込側配管で接続され吐水口に吐水側配管で接続された循環ポンプとを備え、該循環ポンプの作動によりバスタブ内の湯を吸込口から吸込んで吐水口から再びバスタブ内に所定形態の噴流として吐出させるジェットバス用の安全装置において、吸込口に吸込口カバーを着脱可能に装着すると共に、吸込口カバーが吸込口に装着されていない時に、吸込口の吸込力を機械的に所定値まで低下させる外気導入機構やショートサーキット等の吸込力低下手段を吸込側配管に配設したことを特徴とする。【選択図】  図１
2004321656.tif 000002
【特許請求の範囲】
【請求項１】
バスタブに設けられた吸込口及び吐出口と、前記吸込口に吸込側配管で接続され吐水口に吐水側配管で接続された循環ポンプとを備え、該循環ポンプの作動によりバスタブ内の湯を吸込口から吸込んで吐水口から再びバスタブ内に所定形態の噴流として吐出させるジェットバス用の安全装置において、
前記吸込口に吸込口カバーを着脱可能に装着すると共に、該吸込口カバーが吸込口に装着されていない時に、吸込口の吸込力を機械的に所定値まで低下させる吸込力低下手段を前記吸込側配管に配設したことを特徴とするジェットバス用の安全装置。
【請求項２】
前記吸込力低下手段は、吸込側配管に外気を導入させる外気導入機構であることを特徴とする請求項１に記載のジェットバス用の安全装置。
【請求項３】
前記外気導入機構は、吸込側配管に設けられた外気導入口と、一端が該外気導入口に連結され他端が所定高さに開口する導入パイプとを備えることを特徴とする請求項２に記載のジェットバス用の安全装置。
【請求項４】
前記外気導入機構は、吸込側配管に設けられ、吸込口カバーが装着されていない時に作動して吸込側配管に外気を吸込むことが可能な逆止弁で形成されていることを特徴とする請求項２に記載のジェットバス用の安全装置。
【請求項５】
前記吸込力低下手段は、吸込側配管と吐出側配管とをショートサーキットさせ得る配管部材であることを特徴とする請求項１に記載のジェットバス用の安全装置。
【請求項６】
前記循環ポンプは、その電流値もしくは前記各配管内の流量を検知する検知手段の検知結果に基づいて、その作動が停止させられることを特徴とする請求項１ないし５のいずれかに記載のジェットバス用の安全装置。
【発明の詳細な説明】
【０００１】
【発明の属する技術分野】
本発明は、例えばバスタブ内の湯と空気との気泡混合噴流をバスタブ内に吐出させてジェット噴流等を発生させるジェットバス用の安全装置に関する。
【０００２】
【従来の技術】
一般的にこの種のジェットバスにおいては、バスタブ側面の吸込口から循環ポンプの作動でバスタブ内の湯を吸込み、この湯と空気との混合噴流等をバスタブ側面の吐出口から吐出させるようにしているが、その際、吸込口への異物の吸込み等を防止するために、各種の安全装置が設けられている。従来、この安全装置としては、例えば特許文献１及び特許文献２に開示されている。
【０００３】
先ず、特許文献１に開示の安全装置は、圧力検知方式に係わるもので、循環ポンプとバスタブの吐出口間の吐出側配管に圧力検知センサを設け、この圧力検知センサの検出値と予め設定した一定値との偏差が一定範囲を超えた場合に、循環ポンプの作動を停止させるようにしたものである。また、特許文献２に開示の安全装置は、循環口カバー検知方式に係わるもので、バスタブの吸込口に吸込口カバーを装着し、この吸込口カバーに磁石を設けると共に吸込口の本体ボディにリードスイッチを埋込状に設け、吸込口カバーが装着されていない場合に、リードスイッチをオフさせて循環ポンプが作動しないようにしたものである。
【０００４】
【特許文献１】
特開平２−２４９５４７号公報
【特許文献２】
特開平９−１７３４０２号公報
【０００５】
【発明が解決しようとする課題】
しかしながら、これらの安全装置にあっては、いずれも吸込口の吸込力や吸込口カバーの有無を電気的に検知して循環ポンプの作動を制御する方式であるため、圧力検知センサあるいはリードスイッチと循環ポンプの作動を制御するコントローラとを電線によって配線する必要がある。そして、これらの配線が水廻り空間としての浴室に配設されることから、耐湿性（耐候性）に優れた比較的高価な電線や防水コネクターを使用する必要があると共に、圧力検知センサやリードスイッチ自体が高価となり易く、結果として安全装置のコストアップを招き易い上、システムが複雑となって故障の可能性が高くなるという問題点を有している。
【０００６】
本発明はこのような事情に鑑みてなされたもので、その目的は、吸込口への吸込口カバーの非装着時に、吸込口の吸込力を所定値まで機械的に低下させて異物等の吸込みを確実に防止し得ると共に、簡素な機構により装置自体を安価に形成し得るジェットバスの安全装置を提供することにある。
【０００７】
【課題を解決するための手段】
かかる目的を達成すべく、本発明のうち請求項１に記載の発明は、バスタブに設けられた吸込口及び吐出口と、前記吸込口に吸込側配管で接続され吐水口に吐水側配管で接続された循環ポンプとを備え、該循環ポンプの作動によりバスタブ内の湯を吸込口から吸込んで吐水口から再びバスタブ内に所定形態の噴流として吐出させるジェットバス用の安全装置において、前記吸込口に吸込口カバーを着脱可能に装着すると共に、該吸込口カバーが吸込口に装着されていない時に、吸込口の吸込力を機械的に所定値まで低下させる吸込力低下手段を前記吸込側配管に配設したことを特徴とする。
【０００８】
このように構成することにより、バスタブ内の湯は、循環ポンプの作動で吸込口から吸込側配管を介して吸込まれ、循環ポンプを通過して吐出側配管を介して吐水口からバスタブ内に再び吐出される。この循環ポンプの作動時に、吸込口に作用する吸込力は吸込口に吸込口カバーが装着されている場合に作用し、吸込口カバーが装着されていない場合は、吸込力低下手段の機械的作動で吸込口の吸込力が所定値まで低下する。これにより、吸込口からの異物の吸込みを防止する吸込口カバーが装着されていない場合に、吸込口の吸込力が所定値まで低下して吸込口への異物の吸込み等が確実に防止され、この時、吸込力が吸込力低下手段で機械的に低下されることから安全装置が安価に形成される。
【０００９】
そして、前記吸込力低下手段は、請求項２に記載の発明のように、吸込側配管に外気を導入させる外気導入機構であることが好ましく、この場合、前記外気導入機構は、請求項３に記載の発明のように、吸込側配管に設けられた外気導入口と、一端が該外気導入口に連結され他端が所定高さ、例えばバスタブの最高水位より上方に開口する導入パイプとを備えることが好ましく、また、請求項４に記載の発明のように、吸込側配管に設けられ、吸込口カバーが装着されていない時に作動して吸込側配管に外気を吸込むことが可能な逆止弁で形成されていることが好ましい。
【００１０】
このように構成することにより、吸込力低下手段としての外気導入機構で吸込側配管内に外気が吸込まれることから、吸込口の吸込力を所定値まで確実に低下でき、その際、外気導入機構として導入パイプや逆止弁を使用することにより、吸込力低下手段の構成を簡易にして安価に形成できる。
【００１１】
また、前記吸込力低下手段は、請求項５に記載の発明のように、吸込側配管と吐出側配管とをショートサーキットさせ得る配管部材であることが好ましい。このように構成することにより、吸込力低下手段としての配管部材で吸込側配管と吐出側配管とがショートサーキットされることから、吸込口の吸込力を所定値まで確実に低下できる。
【００１２】
さらに、前記循環ポンプは、請求項６に記載の発明のように、その電流値もしくは前記各配管内の流量を検知する検知手段の検知結果に基づいて、その作動が停止させられることが好ましい。このように構成することにより、検知手段で検知される循環ポンプの電流値や吸込側配管等の流量に基づいて循環ポンプの作動が停止されることから、吸込力低下手段と組み合わせることで、吸込力が所定値まで低下した際の循環ポンプの停止が確実に行える。
【００１３】
【発明の実施の形態】
以下、本発明の実施の形態の一例を図面に基づいて詳細に説明する。
図１〜図５は、本発明に係わるジェットバス用の安全装置の一実施形態を示し、図１がその概略構成図、図２が要部の断面図、図３及び図４が吸込口カバーの側面図及び背面図、図５が動作説明図である。
【００１４】
図１において、安全装置１は、浴槽２の側壁２ａに設けられた吸込口３及び吐出口４と、吸込口３と循環ポンプ５の吸込側に接続された吸込側配管６と、吐出口４と循環ポンプ５の吐出側に接続された吐出側配管７と、循環ポンプ５の作動を制御する制御装置８等を備えている。そして、端部にフランジ３ａが設けられた前記吸込口３には吸込カバー９が着脱可能に装着されると共に、吸込口３が設けられた吸込側配管６には、吸込口３（吸込側配管６内）の吸込力を所定値まで低下させる吸込力低下手段として外気導入機構１０が配設されている。
【００１５】
この外気導入機構１０は、図２に示すように、吸込側配管６の吸込口３側に設けられ、外気導入口として機能する内部の連結孔１１ａが吸込側配管６の内部孔６ａに連通する連結部１１と、該連結部１１に連結管１２を介して連結された導入パイプ１３等で構成されている。この時、導入パイプ１３は、浴槽２の側壁２ａの外側に上方に指向する状態で配設され、その上端開口面１３ａが浴槽２の上縁フランジ２ｂの直下に位置して浴槽２内に収容される湯Ｗの最高水位Ｓより所定高さ寸法ｈ上方に位置するように設定されている。これにより、吸込側配管６の連結部１１の連結孔１１ａ内が後述する如く吸引される（負圧になる）と、連結管１２を介して導入パイプ１３内にその上端開口面１３ａから外気が吸込まれて導入されるようになっている。
【００１６】
前記吸込口カバー９は、図３及び図４に示すように、吸込口３の内径と略同一外径の嵌合部９ａと、この嵌合部９ａの一方の開口端部に一体成形された底面と外周面を有する皿状のカバー部９ｂとで形成されている。そして、嵌合部９ａの先端側の外周面には、軸方向に所定間隔を有して一対のＯリング１４がそれぞれ配設され、カバー部９ｂの底面及び外周面と嵌合部９ａの基端部には、例えば円形の吸込孔１５が複数個穿設されている。
【００１７】
なお、吸込孔１５は円形に限らず、図３及び図４の二点鎖線で示すように、２個の円形の孔を連結した長孔状態の孔や楕円形状等の適宜の形状を採用し得るし、その穿設位置も図示した例に限らず、吸込口３の大きさ等に応じて適宜の位置に穿設することができ、更には、吸込孔１５にメッシュ式のストレーナーを設置するようにしても良い。また、Ｏリング１４は、図２に示すように、例えば吸込口カバー９の嵌合部９ａの外周面に形成した円環状の凹溝１６に嵌合されることにより、嵌合部９ａの所定位置に配設されている。
【００１８】
また、前記吸込口カバー９の嵌合部９ａは、その突出長さＬ（図３参照）が所定値に設定され、嵌合部９ａを吸込口３内に嵌合しカバー部９ｂの外周面端部を浴槽２の側壁２ａ内面に当接するかもしくは所定の隙間を有して装着した際に、その後方側（循環ポンプ５側）先端が吸込側配管６の連結部１１の所定寸法後方側に位置するようになっている。これにより、吸込口カバー９を吸込口３に装着した際に、嵌合部９ａの後方側先端が連結部１１の後方側の内部孔６ａ内に位置して、嵌合部９ａの外周面で連結部１１の連結孔１１ａが閉塞され、この時、連結部１１の両外側に前記Ｏリング１４が位置することにより、このＯリング１４で連結部１１の連結孔１１ａと吸込側配管６の内部孔６ａとがシールされるようになっている。
【００１９】
前記制御装置８は、循環ポンプ５の電流値を検出する電流検出回路と、この電流検出回路で検出された検出電流値と予め設定した基準値とを比較して、検出電流値が基準値より低下した場合に循環ポンプ５に停止信号を出力するコントローラ及び電源回路（いずれも図示せず）等を有している。なお、制御装置８による循環ポンプ５の作動制御は、循環ポンプ５の電流値に限らず、例えば吸込側配管６（もしくは吐出側配管７）の流量を検出し、この流量が基準値より低くなった場合に、循環ポンプ５に停止信号を出力するように構成しても良い。
【００２０】
この安全装置１は、次のようにして動作する。すなわち、吸込口カバー９が吸込口３に装着されている場合は、図２に示すように、吸込口カバー９の嵌合部９ａの先端が吸込側配管６の連結部１１の後方側の内部孔６ａ内に位置するため、嵌合部９ａの一対のＯリング１４間の外周面で連結部１１の連結孔１１ａが閉塞され、連結部１１、連結管１２及び導入パイプ１３を介する外気との連通が遮断された状態となっている。
【００２１】
この状態で、循環ポンプ５が作動して回転すると、吸込口３を介して浴槽２内の湯Ｗが吸込まれると共に、この湯Ｗが吸込側配管６の内部孔６ａ、循環ポンプ５、吐出側配管７の内部孔７ａから吐出口４に装着された吐出口カバー１７を介して浴槽２内に吐出される。これにより、浴槽２内の湯Ｗが循環しつつ吐出口４から所定の形態で吐出されて、浴槽２内にジェット噴流やパルス噴流等（これらをジェット噴流という）が生成され、この噴流で入浴者にマッサージ効果が得られる。
【００２２】
一方、浴槽２内の清掃時等に吸込口３から吸込口カバー９を取り外し、例えばこの取り外した吸込口カバー９を吸込口３に装着するのを忘れて浴槽２内に湯Ｗを入れて循環ポンプ５を作動させた場合は、外気導入機構１０が作動して吸込口３の吸込力が低下する。
【００２３】
すなわち、図５に示すように、吸込口３に吸込口カバー９が装着されていないと、吸込側配管６の連結部１１の連結孔１１ａが吸込側配管６の内部孔６ａに連通状態とされ、連結部１１、連結管１２及び導入パイプ１３内にも浴槽２内の湯Ｗが侵入して、連結部１１が連結管１２、導入パイプ１３内の湯Ｗを介して外気に接した状態となる。この時、導入パイプ１３の上端開口面１３ａが浴槽２の最高水位Ｓより上方に位置するように設定されていることから、浴槽２内の湯Ｗの導入パイプ１３の上端開口面１３ａから浴槽２外への漏出が確実に防止される。
【００２４】
そしてこの状態で、循環ポンプ５が作動すると、浴槽２から下流側に位置する連結部１１、連結管１２及び導入パイプ１３内の湯Ｗが循環ポンプ５方向に吸込まれて、連結部１１、連結管１２及び導入パイプ１３内の湯Ｗが無くなった時点で、図５の矢印イの如く、導入パイプ１３から連結管１２、連結部１１を介して吸込側配管６の内部孔６ａ内に外気が導入されて、外気導入機構１０が作動状態となる。この外気導入機構１０によって導入された外気は循環ポンプ５に取り込まれるので、吸込口３の吸込力が所定値（例えば、湯Ｗの吸込みが停止する値）まで低下する。これにより、吸込口カバー９が装着されていない吸込口３からの異物等の吸込みが確実に防止されることになる。
【００２５】
また、吸込口カバー９が装着されずに循環ポンプ５が作動して外気が循環ポンプ５に取り込まれた状態になると、循環ポンプ５の電流値が低下し、この電流値が制御装置８で検出されて基準値と比較され、検出電流値が基準値を下回った時点で、制御装置８から循環ポンプ５に停止信号が出力される。この停止信号により循環ポンプ５の作動が停止して、吸込口３の吸込力がゼロとなり、異物等の吸込みがなくなる。
【００２６】
つまり、この安全装置１の場合、吸込口３に吸込口カバー９を着脱可能に装着すると共に、吸込口３に接続された吸込側配管６に外気導入機構１０を配設することで、吸込口３への吸込口カバー９の装着忘れ等で、吸込口３に吸込口カバー９が装着されていない場合に、吸込力低下手段としての外気導入機構１０の機械的な作動により、吸込側配管６内に外気を導入して吸込口３の吸込力を所定値まで低下させる。そして、循環ポンプ５に外気が取り込まれることによる電流値の変化が、制御装置８により検出されて循環ポンプ５の作動が停止させられることになる。
【００２７】
このように、上記実施形態の安全装置１においては、吸込側配管６に外気導入機構１０が配設され、この外気導入機構１０の機械的な作動により、吸込口３に吸込口カバー９が装着されていない時に吸込側配管６内に外気が導入されるため、外気導入機構１０により導入される外気が循環ポンプ５に取り込まれることによって、吸込口３の吸込力を所定値まで低下させることができ、異物等の吸込口３内への吸込みを確実に防止することが可能になる。
【００２８】
特に、吸込口カバー９が一対のＯリング１４を有する嵌合部９ａとカバー部９ｂで形成されているため、吸込口カバー９を吸込口３に装着した際に、嵌合部９ａの一対のＯリング１４間の外周面で連結部１１の連結孔１１ａを閉塞して吸込側配管６を密閉状態とすることができ、正常状態時の循環ポンプ５による循環量を所定量に安定維持できる。これにより、吸込口カバー９の装着有無による循環量の違い（循環ポンプ５の運転状態）を機械的に明瞭に区別でき、外気導入機構１０で吸込口カバー９の非装着時の吸込力の低下が確実に実行されて、異物等の吸込みを一層確実に防止できる。
【００２９】
また、吸込口３の吸込力を低下させる外気導入機構１０が、連結管１２や上端開口面１３ａが浴槽２内の最高水位Ｓより上方に配置された導入パイプ１３等で構成されるため、従来のような耐候性に優れた電線や電子部品等を必要とせず、湿度の高い浴室内であっても、長期に亘り安定した動作が得られると共に、信頼性を含めトータル的なコストの低減化が図れて安価で安全性に優れた安全装置１を得ることが可能になる。
【００３０】
さらに、吸込口カバー９のカバー部９の底面や側面に所定形状の吸込孔１５が複数個形成されているため、この吸込口カバー９で異物等の吸込みを確実に防止しつつ所定量の吸込量（循環量）を容易に確保することができて、浴槽２内に安全で所望形態のジェット噴流が容易に得られ、ジェットバスの使い勝手の向上を図ること等が可能になる。
【００３１】
また、制御装置８によって検出された循環ポンプ５の検出電流値や配管６、７内の検出流量によって、循環ポンプ５の作動を停止させることができるため、外気導入機構１０により循環ポンプ５が外気を取り込んだ際に、該循環ポンプ５を停止させて吸込口３の吸込力をゼロにすることができて、吸込口３への異物等の吸込みをより一層確実に防止することができる。
【００３２】
図６及び図７と図８は、本発明に係わる安全装置のそれぞれ他の実施形態を示している。以下、上記実施形態と同一部位には同一符号を付して説明する。先ず、図６及び図７に示す実施形態の安全装置１の特徴は、外気導入機構１０として外気を導入可能な逆止弁２０を使用し、この逆止弁２０を吸込側配管６の吸込口３側に配設した点にある。
【００３３】
すなわち、吸込側配管６の吸込口３側に連結孔１１ａを有する連結部１１を設け、この連結部１１に弁ケース２１の内部に球状の弁体２２を有する逆止弁２０を弁体支持板２３等により気密状態で取り付ける。そして、弁体支持板２３の全面に弁体２２の外径より小さい例えば複数の外気導入孔２３ａを形成すると共に、弁ケース２１の上面中央に弁体２２の外径より小さい一つの外気導入孔２１ａを形成する。
【００３４】
この安全装置１の場合は、吸込口３に吸込口カバー９が装着されている場合は、連結管１１の連結孔１１ａが吸込口カバー９の嵌合部９ａで閉塞されて、吸込口３から吸込された湯Ｗは、吸込側配管６、循環ポンプ５、吐出側配管７を介して吐出口４から浴槽２内に吐出される。一方、吸込口３に吸込カバー９が装着されていない場合は、図７に示すように、連結部１１の連結孔１１ａが吸込側配管６の内部孔６ａに連通した状態となる。そして、この状態で浴槽２内に湯Ｗが供給されると、逆止弁２０の弁体２２は、弁ケース２１内に侵入する湯Ｗによって上昇し、弁ケース２１の外気導入孔２１ａを閉塞する。
【００３５】
この外気導入孔２１ａの閉塞状態で循環ポンプ５が作動すると、その吸込力によって連結部１１及び弁ケース２１内の湯Ｗが吸込され、湯Ｗの水面の低下に追従して弁体２２も下方に下がり、弁ケース２１の外気導入孔２１ａが開口する。これにより、外気導入機構１０としての逆止弁２０が作動状態となり、逆止弁２０の外気導入孔２１ａから弁ケース２１内に外気が導入され、この外気が図７の矢印ロの如く、連結部１１の連結孔１１ａ、吸込側配管６の内部孔６ａを流れて循環ポンプ５に供給され、循環ポンプ５が空運転状態となる。
【００３６】
この実施形態においても、吸込口３への吸込口カバー９の非装着時に吸込口３の吸込力を所定値まで低下させることができて、上記実施形態と略同様の作用効果を得ることができる。また、この実施形態の場合は、逆止弁２０を連結部１１に取り付けるだけで、外気導入機構１０を設置できるため、上記実施形態のように導入パイプ１３の上端開口面１３ａの位置等を気にする必要がなく、安全装置１の設置が極めて簡単に行えると共に、比較的小型の逆止弁２０の使用により設置の省スペースを図ることができる等の作用効果が得られる。
【００３７】
図８に示す実施形態の安全装置１の特徴は、吸込側配管６と吐出側配管７を吸込口３及び吐出口４側の所定位置で、ショートサーキットさせるようにした点にある。すなわち、吸込側配管６の吸込口３側には連結孔１１ａを有する連結部１１を設けると共に、吐出側配管７の吐出口４側に連結孔２５ａを有する連結部２５を設け、この両連結部１１、２５を連結管２６及び連結パイプ２７等からなる吸込力低下手段としての配管部材２４で連結する。そして、吸込口３に吸込口カバー９を着脱可能に装着し、この吸込口カバー９の嵌合部９ａの外周面によって連結部１１の連結孔１１ａを開閉できるように構成する。なお、連結部２５の連結孔２５ａは吐出側配管７の内部孔７ａに常時連通した状態とする。
【００３８】
この安全装置１の場合は、吸込口３に吸込口カバー９が装着されている場合は、連結管１１の連結孔１１ａが吸込口カバー９の嵌合部９ａで閉塞されて、吸込側配管６と吐出側配管７が配管部材２４でショートサーキットされていない状態となり、吸込口３から吸込された湯Ｗは、吸込側配管６、循環ポンプ５、吐出側配管７を介して吐出口４から浴槽２内に吐出される。一方、吸込口３に吸込カバー９が装着されていない場合は、連結部１１の連結孔１１ａが吸込側配管６の内部孔６ａに連通し、吸込側配管６と吐出側配管７とが配管部材２４で連通、すなわち吸込力低下手段が作動してショートサーキットされた状態となり、この状態で循環ポンプ５が作動すると、両配管６、７が配管部材２４を介して連通し、吸込側配管６と吐出側配管７内の湯が、矢印ハの如く配管部材２４を介して循環する状態となり、吸込口３の吸込力が所定値まで低下する。
【００３９】
この実施形態においても、吸込口３への吸込口カバー９の非装着時に吸込口３の吸込力を所定値まで低下させることができて、上記実施形態と略同様の作用効果を得ることができる。また、この実施形態の場合も、配管部材２４を両配管６、７間に単に接続するだけで良いことから、安全装置１の設置が容易に行えるという作用効果が得られる。
【００４０】
なお、本発明は上記した各実施形態のそれぞれに限定されるものではなく、例えば安全装置１に外気導入パイプ１３あるいは逆止弁２０と配管部材２４とをそれぞれ設ける構成とする等、各実施形態の全部もしくは一部を適宜に組み合わせることもできるし、吸込力低下手段として外気導入機構１０やショートサーキット（配管部材２４）以外の他の適宜の構造を採用することもできる。
【００４１】
また、上記各実施形態における吸込口カバー９の形状や吸込口３への取付構造等も一例であって、例えば吸脱着口カバー９の嵌合部９ａを吸込側配管６の内部孔６ａに螺合方式で着脱可能に配設する等、本発明に係わる各発明の要旨を逸脱しない範囲において適宜に変更することができる。さらに、本発明は、吸込口３に装着するのを忘れて当初から吸込口カバー９が取り付けられていない場合に限らず、ジェットバスの作動時において吸込口カバー９が吸込口３から外れてしまった場合でも、吸込口３の吸込力を低下させることができる。
【００４２】
【発明の効果】
以上詳述したように、請求項１に記載の発明によれば、吸込口カバーが吸込口に装着されていない場合に、吸込力低下手段の機械的作動により吸込口の吸込力が所定値まで低下するため、吸込口の吸込力を吸込力低下手段で機械的に確実に低下させることができて、吸込口への異物等の吸込みを確実に防止することができると共に、安価な安全装置を得ることができる。
【００４３】
また、請求項２に記載の発明によれば、請求項１に記載の発明の効果に加え、吸込力低下手段が吸込側配管に外気を導入させる外気導入機構であるため、外気で吸込力を確実に低下させることができると共に、吸込力低下手段の構成を簡略化して一層安価な安全装置を得ることができる。
【００４４】
また、請求項３に記載の発明によれば、請求項２に記載の発明の効果に加え、外気導入機構が外気吸込口と吸込パイプとを備えるため、外気導入機構の構成を簡略化してより一層安価な安全装置を得ることができる。
【００４５】
また、請求項４に記載の発明によれば、請求項２に記載の発明の効果に加え、外気導入機構が比較的小型の逆止弁で形成されているため、外気導入機構の設置の省スペースが図れる等、その構成の一層の簡略化を図ることができる。
【００４６】
また、請求項５に記載の発明によれば、請求項１に記載の発明の効果に加え、吸込力低下手段が吸込側配管と吐出側配管とをショートサーキットさせ得る配管部材であるため、吸込口カバーが装着されていない場合の吸込力を所定値まで確実かつ素早く低下させることができる。
【００４７】
また、請求項６に記載の発明によれば、請求項１ないし５に記載の発明の効果に加え、検知手段で検知される循環ポンプの電流値や配管内の流量に基づいて循環ポンプの作動が停止するため、吸込力低下手段と組み合わせることで、吸込力が異常に低下した際の循環ポンプの停止が確実に行えて、安全装置に十分な安全性が得られる等の効果を奏する。
【図面の簡単な説明】
【図１】本発明に係わるジェットバス用の安全装置の一実施形態を示す概略構成図
【図２】同その要部の断面図
【図３】同吸込口カバーの側面図
【図４】同その背面図
【図５】同その動作説明図
【図６】本発明に係わる安全装置の他の実施形態を示す断面図
【図７】同その動作説明図
【図８】本発明に係わる安全装置のさらに他の実施形態を示す断面図
【符号の説明】
１・・・・・・・・・安全装置
２・・・・・・・・・浴槽
３・・・・・・・・・吸込口
４・・・・・・・・・吐出口
５・・・・・・・・・循環ポンプ
６・・・・・・・・・吸込側配管
６ａ・・・・・・・・内部孔
７・・・・・・・・・吐出側配管
７ａ・・・・・・・・内部孔
８・・・・・・・・・制御装置
９・・・・・・・・・吸込口カバー
９ａ・・・・・・・・嵌合部
９ｂ・・・・・・・・カバー部
１０・・・・・・・・外気導入機構
１１・・・・・・・・連結部
１１ａ・・・・・・・連結孔
１２・・・・・・・・連結管
１３・・・・・・・・導入パイプ
１３ａ・・・・・・・上端開口面
２０・・・・・・・・逆止弁
２１・・・・・・・・弁ケース
２２・・・・・・・・弁体
２３・・・・・・・・弁体支持板
２４・・・・・・・・配管部材
２７・・・・・・・・連結パイプ
【図１】
2004321656.tif 000003
【図２】
2004321656.tif 000004
【図３】
2004321656.tif 000005
【図４】
2004321656.tif 000006
【図５】
2004321656.tif 000007
【図６】
2004321656.tif 000008
【図７】
2004321656.tif 000009
【図８】
2004321656.tif 000010